(57)【要約】【課題】本発明は、少光量発光時は発光毎のばらつきを少なくし、大光量発光時は閃光放電管へのダメージを抑止するストロボ装置を提供する。【解決手段】本発明のストロボ装置３４は、閃光放電管２と、閃光放電管２の外面に複数設けられるトリガ外部電極２６、・・・３３と、所定のタイミングで閃光放電管２を発光させるべくトリガ信号を出力するトリガ回路８と、複数のトリガ外部電極２６、・・・３３から、閃光放電管２への設置面積が所定の面積を有するように決定されたトリガ外部電極２６、・・・３３へ電圧を印加することを選択する第一のモードと所定の面積よりも広い面積を有するように決定されたトリガ外部電極２６、・・・３３へ電圧を印加することを選択する第二のモードとを切替える切替部３５と、トリガ回路８によるトリガ信号の出力および切替部３５による第一のモードと第二のモードとの切替えを制御する制御部７とを備えることを特徴とする。【選択図】図４
2012058494.tif 000002
【特許請求の範囲】
【請求項１】
閃光放電管と、閃光放電管の外面に複数設けられるトリガ外部電極と、所定のタイミングで閃光放電管を発光させるべくトリガ信号を出力するトリガ回路と、複数のトリガ外部電極から、閃光放電管への設置面積が所定の面積を有するように決定されるトリガ外部電極へ電圧を印加することを選択する第一のモードと所定の面積よりも広い面積を有するように決定されるトリガ外部電極へ電圧を印加することを選択する第二のモードとを切替える切替部と、トリガ回路によるトリガ信号の出力および切替部による第一のモードと第二のモードとの切替えを制御する制御部とを備えることを特徴とするストロボ装置。
【請求項２】
切替部は、制御部の制御に応じて、第一のモードと第二のモードとを切替えた後に、トリガ外部電極に電圧を印加することを特徴とする請求項１に記載のストロボ装置。
【請求項３】
切替部は、閃光放電管からの発光量を少光量とする場合に第一のモードに切替え、閃光放電管からの発光量を大光量とする場合に第二のモードに切替えることを特徴とする請求項１または請求項２に記載のストロボ装置。
【請求項４】
閃光放電管と、閃光放電管の外面に複数設けられるトリガ外部電極と、所定のタイミングで閃光放電管を発光させるべく、複数のトリガ外部電極から、閃光放電管への設置面積が所定の面積を有するように決定されるトリガ外部電極へトリガ信号を出力して、電圧を印加する第１トリガ回路と、複数のトリガ外部電極から、閃光放電管への設置面積が所定の面積よりも広い面積を有するように決定されるトリガ外部電極へトリガ信号を出力して、電圧を印加する第２トリガ回路と、第１トリガ回路に接続されるトリガ外部電極へ電圧を印加することを選択する第一のモードと第２トリガ回路に接続されるトリガ外部電極へ電圧を印加することを選択する第二のモードとを切替えるとともに、トリガ出力信号の出力を制御する制御部とを備えることを特徴とするストロボ装置。
【請求項５】
制御部は、第一のモードと第二のモードとを切替えた後に、第１トリガ回路または第２トリガ回路に、トリガ外部電極への電圧の印加をさせることを特徴とする請求項４に記載のストロボ装置。
【請求項６】
制御部は、閃光放電管からの発光量を少光量とする場合に第一のモードに切替え、閃光放電管からの発光量を大光量とする場合に第二のモードに切替えることを特徴とする請求項４または請求項５に記載のストロボ装置。
【請求項７】
請求項１乃至請求項６のいずれかに記載のストロボ装置を備えることを特徴とする携帯機器。
【発明の詳細な説明】
【技術分野】
【０００１】
本発明は、ストロボ装置および携帯機器に関する。
【背景技術】
【０００２】
従来、図６に示すように、ストロボ装置１として、閃光放電管２と、閃光放電管２を発光させるために電圧を印加するトリガ外部電極３と、蓄電可能な蓄電素子４と、蓄電素子４に電力を供給可能な電池電源５と、電池電源５の電圧を昇圧させる昇圧チョッパ回路６とを備えるストロボ装置１が知られている。また、ストロボ装置１は、装置全体を制御する制御部７と、閃光放電管２を発光させるタイミングで、トリガ外部電極３に電圧を印加するトリガ回路８と、撮影に必要な発光量に応じて、閃光放電管２の発光時間を制御するスイッチ回路９とを備えている。
【０００３】
トリガ外部電極３は、閃光放電管２の外面に沿って管軸方向に直線状に伸びるように配設されている（たとえば特許文献１）。トリガ外部電極３が管長方向に細長い場合、トリガ外部電極３は、閃光放電管２内において、トリガ外部電極３に近い位置で放電を発生させる。トリガ外部電極３に近い位置で放電が発生するので、特に制御部７が調光モードにおいて少光量発光を制御する場合、閃光放電管２の放電路を安定させることができるので、発光毎の光量ばらつきを少なくすることができる。
【先行技術文献】
【特許文献】
【０００４】
【特許文献１】特開２００７−１０８５４５号公報
【発明の概要】
【発明が解決しようとする課題】
【０００５】
ところで、図６に示すストロボ装置１において、閃光放電管２には、小型の閃光放電管２が利用されている。管長方向に細長いトリガ外部電極３を用いて、小型の閃光放電管２を大光量で発光させる場合、トリガ外部電極３付近のガラスにダメージが蓄積しやすく、ガラスクラックが発生しやすくなる。ガラスクラックが発生すると、閃光放電管２が発光しなくなるといった問題を生じさせていた。
【０００６】
よって、本発明は、斯かる事情に鑑み、少光量発光の場合には発光毎のばらつきを少なくし、大光量発光の場合には閃光放電管へのダメージを抑止することができるストロボ装置および携帯機器を提供することを課題とする。
【課題を解決するための手段】
【０００７】
本発明に係るストロボ装置は、閃光放電管と、閃光放電管の外面に複数設けられるトリガ外部電極と、所定のタイミングで閃光放電管を発光させるべくトリガ信号を出力するトリガ回路と、複数のトリガ外部電極から、閃光放電管への設置面積が所定の面積を有するように決定されるトリガ外部電極へ電圧を印加することを選択する第一のモードと所定の面積よりも広い面積を有するように決定されるトリガ外部電極へ電圧を印加することを選択する第二のモードとを切替える切替部と、トリガ回路によるトリガ信号の出力および切替部による第一のモードと第二のモードとの切替えを制御する制御部とを備えることを特徴とする。
【０００８】
斯かる構成によれば、閃光放電管が少光量の発光をする場合に、閃光放電管への設置面積が所定の面積を有するように決定されたトリガ外部電極に電圧を印加することを選択する第一のモードで、閃光放電管の発光毎の光量ばらつきを少なくすることができる。また、閃光放電管が大光量の発光をする場合には、閃光放電管への設置面積が所定の面積よりも広い面積を有するように決定されたトリガ外部電極に電圧を印加することを選択する第二のモードに切替えることで放電路が発光毎に変わり、閃光放電管にかかる負担を軽減させることができる。
【０００９】
また、請求項２記載の発明において、切替部は、制御部の制御に応じて、第一のモードと第二のモードとを切替えた後に、トリガ外部電極に電圧を印加することが好ましい。
【００１０】
斯かる構成によれば、切替部は、第一のモードと第二のモードとを切替えた後に、トリガ外部電極に電圧を印加できる。これにより、切替部は、第一のモードと第二のモードとが切り替わる前に、トリガ外部電極に電圧を印加することを防止できる。
【００１１】
また、請求項３記載の発明において、切替部は、閃光放電管からの発光量を少光量とする場合に第一のモードに切替え、閃光放電管からの発光量を大光量とする場合に第二のモードに切替えることが好ましい。
【００１２】
斯かる構成によれば、少光量を必要とする場合には、第一のモードに切替えて、放電路を安定させることができる。大光量を必要とする場合には、第二のモードに切替えて、閃光放電管にかかる負担を軽減できる。
【００１３】
本発明に係る他のストロボ装置は、閃光放電管と、閃光放電管の外面に複数設けられるトリガ外部電極と、所定のタイミングで閃光放電管を発光させるべく、複数のトリガ外部電極から、閃光放電管への設置面積が所定の面積を有するように決定されるトリガ外部電極へトリガ信号を出力して、電圧を印加する第１トリガ回路と、複数のトリガ外部電極から、閃光放電管への設置面積が所定の面積よりも広い面積を有するように決定されるトリガ外部電極へトリガ信号を出力して、電圧を印加する第２トリガ回路と、第１トリガ回路に接続されるトリガ外部電極へ電圧を印加することを選択する第一のモードと第２トリガ回路に接続されるトリガ外部電極へ電圧を印加することを選択する第二のモードとを切替えるとともに、トリガ出力信号の出力を制御する制御部とを備えることを特徴とする。
【００１４】
斯かる構成によれば、閃光放電管が少光量の発光をする場合に、閃光放電管への設置面積が所定の面積を有するように決定されたトリガ外部電極に電圧を印加することを選択する第一のモードで、閃光放電管の発光毎の光量ばらつきを少なくすることができる。また、閃光放電管が大光量の発光をする場合には、閃光放電管への設置面積が所定の面積よりも広い面積を有するように決定されたトリガ外部電極に電圧を印加することを選択する第二のモードに切替えることで放電路が発光毎に変わり、閃光放電管にかかる負担を軽減させることができる。
【００１５】
また、請求項５記載の発明において、制御部は、第一のモードと第二のモードとを切替えた後に、第１トリガ回路または第２トリガ回路に、トリガ外部電極への電圧の印加をさせることが好ましい。
【００１６】
斯かる構成によれば、制御部は、第一のモードおよび第二のモードを切替えた後に、トリガ外部電極に電圧を印加できる。これにより、制御部は、第一のモードと第二のモードとが切り替わる前に、トリガ外部電極に電圧を印加することを防止できる。
【００１７】
また、請求項６記載の発明において、制御部は、閃光放電管からの発光量を少光量とする場合に第一のモードに切替え、閃光放電管からの発光量を大光量とする場合に第二のモードに切替えることが好ましい。
【００１８】
斯かる構成によれば、閃光放電管が少光量の発光をする場合に、第一のモードに切替えて、閃光放電管の発光タイミングを安定させることができる。また、閃光放電管が大光量の発光をする場合には、第二のモードに切替えて、閃光放電管にかかる負担を軽減させることができる。
【００１９】
また、本発明に係る携帯機器は、上記のストロボ装置を備えることを特徴とする。
【発明の効果】
【００２０】
以上の如く、本発明に係るストロボ装置および携帯機器によれば、少光量発光の場合には発光毎の光量ばらつきを少なくし、大光量発光の場合には閃光放電管へのダメージを抑止することができるという優れた効果を奏する。
【図面の簡単な説明】
【００２１】
【図１】本発明の一実施形態に係るストロボ装置を備える携帯機器の全体図であって、（ａ）は斜視図、（ｂ）は異なる方向からの斜視図
【図２】同実施形態に係るストロボ装置における閃光放電管およびトリガ外部電極の全体図であって、（ａ）は長手方向断面図、（ｂ）は側面図
【図３】同実施形態に係るストロボ装置における他の閃光放電管およびトリガ外部電極の全体図であって、（ａ）は斜視図、（ｂ）は異なる方向からの側面図
【図４】同実施形態に係るストロボ装置における回路のブロック図
【図５】本発明の他の実施形態に係るストロボ装置における回路のブロック図
【図６】従来におけるストロボ装置における回路のブロック図
【発明を実施するための形態】
【００２２】
以下、本発明に係るストロボ装置および携帯機器における一実施形態について、図１〜図４を参酌して説明する。
【００２３】
図１から図４に示すように、本実施形態に係る携帯機器１０は、ストロボ装置３４を備える。より具体的には、携帯機器１０は、フラッシュ機能とデジタルカメラ機能とを搭載した携帯電話機である。また、携帯機器（以下「携帯電話機」ともいう）１０は、第１本体１１と、折り畳み自在とすべく、ヒンジ機構１２を介して第１本体１１と連結されている第２本体１３とを備える。
【００２４】
第１本体１３には、携帯電話機１０を折り畳んだ際の内面側に、数字キーなどによって構成されて携帯電話機１０の操作の入力を行う操作キー部１４と、送話音声を入力するマイク１５とが設けられている。また、第１本体１１には、携帯電話機１０を折り畳んだ際の外面側に、着信状態などを通知するサウンダ１６が設けられている。
【００２５】
第２本体１３には、携帯電話機１０を折り畳んだ際の内面側に、受話音声を出力するスピーカ１７と、文字や画像を表示する第１ディスプレイ１８とが設けられている。また、第２本体１３には、携帯電話機１０を折り畳んだ際の外面側に、第１ディスプレイ１８と同様に文字や画像を表示する第２ディスプレイ１９と、光を放射する閃光放電管２と、被写体で反射した光（閃光放電管２の光や太陽光等の光）を集光する光学系２０とが設けられている。光学系２０は、オートフォーカス機構を備え、撮像素子に対して変位可能な対物レンズとし、撮像素子は、ＣＭＯＳイメージセンサ又はＣＣＤイメージセンサとしている。
【００２６】
図２は、同実施形態に係るストロボ装置における閃光放電管２およびトリガ外部電極２６、・・・３３の全体図であって、（ａ）は長手方向断面図、（ｂ）は側面図を示す。閃光放電管２は、筒状のガラスバルブ２１と、ガラスバルブ２１の両端部に溶着され、ガラスバルブ２１の両端開口を封止するビードガラス２２と、ビードガラス２２に挿通状態で溶着される導入線を有する電極２４とを備えている。一方の電極２４（ガラスバルブ２１の一端部に封着された電極２４）は、一端部に焼結金属２５を有している。焼結金属２５は、タングステンとタンタルの金属微粉末の混合物や、タンタルとニッケルの金属微粉末の混合物を成形し約６００℃の温度で焼結した後、電極２４の延長部分である一端部にかしめ等によって取り付けることで電極２４と一体的に形成されている。ガラスバルブ２１は、硼珪酸ガラス等の硬質ガラスで形成されており、内部にキセノン等の希ガス２３が所定圧力で封入されている。
【００２７】
トリガ外部電極２６、・・・３３は、閃光放電管の外面に複数設けられる。詳しくは、トリガ外部電極２６、・・・３３は、閃光放電管２の円周方向に沿って複数設けられる。トリガ外部電極２６、・・・３３は、閃光放電管２の管長方向に渡って設けられているのが好ましい。本実施形態では、第１トリガ外部電極２６、第２トリガ外部電極２７、第３トリガ外部電極２８、第４トリガ外部電極２９、第５トリガ外部電極３０、第６トリガ外部電極３１、第７トリガ外部電極３２、および第８トリガ外部電極３３が、閃光放電管２の管長方向に沿って、複数設けられている。なお、本実施形態では８つのトリガ外部電極２６、・・・３３を示しているが、その本数は限定されない。また、図２では、８つのトリガ外部電極２６、・・・３３の閃光放電管２への設置面積がそれぞれ等しく示されているが、それぞれのトリガ外部電極２６、・・・３３の閃光放電管２への設置面積はそれぞれ異なっていても良い。なお、トリガ外部電極２６、・・・３３は、それぞれ透明電極であることが好ましい。
【００２８】
図３は、同実施形態に係るストロボ装置３５における他の閃光放電管２およびトリガ外部電極２６、２７の全体図であって、（ａ）は斜視図、（ｂ）は異なる方向からの側面図を示す。図３における閃光放電管２およびトリガ外部電極２６、２７は、図２における閃光放電管２およびトリガ外部電極２６、・・・３３のうち、第１トリガ外部電極２６から第８トリガ外部電極３３に変えて、第１トリガ外部電極２６および第２トリガ外部電極２７の２つのトリガ外部電極を備える以外は、図２に示す閃光放電管２およびトリガ外部電極２６、・・・３３と構成は同一である。第一トリガ外部電極２６は、第２トリガ外部電極２７よりも狭い面積で閃光放電管２に接するように、閃光放電管２に設置されている。第２トリガ外部電極２８は、閃光放電管２の表面のうち、第１トリガ外部電極２７が設置された以外の位置を、円周方向に覆うように設置されている。
【００２９】
図４は、同実施形態に係るストロボ装置３４における回路のブロック図を示す。なお、ストロボ装置３４は、図３に示す閃光放電管２およびトリガ外部電極２６、２７を使用する例を示す。
【００３０】
ストロボ装置３４は、上記した閃光放電管２およびトリガ外部電極２６、２７の他に、蓄電可能な蓄電素子４と、蓄電素子４に電力を供給可能な電池電源５と、電圧を昇圧させる昇圧チョッパ回路６とを備える。また、ストロボ装置３４は、所定のタイミングで閃光放電管２を発光させるべくトリガ信号を出力するトリガ回路８と、閃光放電管２の発光を停止させるスイッチ回路９と、複数のトリガ外部電極から、閃光放電管２への設置面積が所定の面積を有するように決定されたトリガ外部電極へ電圧を印加することを選択する第一のモードと所定の面積よりも広い面積を有するように決定されたトリガ外部電極へ電圧を印加することを選択する第二のモードとを切替える切替部３５と、昇圧チョッパ回路６、トリガ回路８、スイッチ回路９、および切替部３５を制御する制御部７とを備える。本実施形態において、蓄電素子４は、電解コンデンサとし、電池電源５は、Ｌｉイオン二次電池としている。
【００３１】
トリガ回路８は、切替部３５に接続される。切替部３５は、第１トリガ外部電極２６および第２トリガ外部電極２７に接続される。なお、本実施形態において、切替部３５は、第１トリガ外部電極２６へ電圧を印加することを選択する第一のモードと、第１トリガ外部電極２６および第２トリガ外部電極２７へ電圧を印加することを選択する第二のモードとを切替える。
【００３２】
本実施形態に係るストロボ装置３４の構成については以上の通りであり、次に、本実施形態に係るストロボ装置３４の動作について図４を参酌して説明する。
【００３３】
制御部７は、電池電源５の電力を昇圧チョッパ回路６で昇圧させて蓄電させる蓄電状態と、蓄電素子４が蓄電した電力を閃光放電管２に供給させる発光状態とを制御する機能を有している。また制御部７は、所定のタイミングで閃光放電管２を発光させるべく、トリガ回路８によるトリガ信号の出力および切替部３５による第一のモードと第二のモードとの切替えを制御する機能を有している。制御部７はさらに、閃光放電管２の発光を開始及び停止するタイミングを制御する機能を有している。
【００３４】
携帯機器１０の電源がＯＮされると、制御部７は、電池電源５の電圧を昇圧チョッパ回路６で昇圧して蓄電素子４に蓄電させ、いつでも発光可能な状態になる。
【００３５】
次に携帯機器１０にストロボ発光の信号がが入力されると、制御部７は、撮影環境に応じて閃光放電管２の発光すべき光量を決定する。制御部７は、決定した発光量に応じて、第一のモードで発光すべきか、第二のモードで発光すべきかをさらに決定する。制御部７は、決定した発光量に応じて、閃光放電管２の発光を停止するタイミングを決定するとともに制御部７は、トリガ回路８にトリガ信号を、スイッチ回路９に発光開始信号を出力させる。
【００３６】
切替部３５は、制御部７の決定したモードに応じて、第一のモードと第二のモードとを切替える。すなわち、切替部３５は、第１トリガ外部電極２６へ電圧を印加することを選択する第一のモードと、第１トリガ外部電極２６および第２トリガ外部電極２７へ電圧を印加することを選択する第二のモードとを切替える。
【００３７】
より詳しくは、制御部７が閃光放電管２の発光すべき光量を少光量と決定した場合、制御部７は、第１トリガ外部電極２６へ電圧を印加することを選択する第一のモードに切替える。制御部７が閃光放電管２の発光すべき光量を大光量と決定した場合、制御部７は、第１トリガ外部電極２６および第２トリガ外部電極２７へ電圧を印加することを選択する第二のモードに切替える。
【００３８】
制御部７はトリガ回路８にトリガ信号を出力し、トリガ信号を受け取ったトリガ回路８は、トリガ回路８内のトランス回路でトリガ用コンデンサ（図示せず）から供給される電荷を用いて昇圧する。トリガ回路８は、トリガ信号として切替部３５へ昇圧された電圧を出力する。切替部３５は、昇圧された電圧を第１トリガ外部電極２６または第２トリガ外部電極２７に印加する。すなわち、切替部３５は、制御部７の制御に応じて、第一のモードと第二のモードとを切替えた後に、トリガ外部電極に電圧を印加し、閃光放電管２は発光する。スイッチ回路９は、制御部７からの発光停止信号により閃光放電管２の発光を停止する。
【００３９】
以上により、本実施形態に係るストロボ装置３４によれば、閃光放電管２が少光量で発光する場合には、閃光放電管２への設置面積が所定の面積を有するように決定された第１トリガ外部電極２６のみに電力を印加できる。閃光放電管２が大光量で発光する場合には、所定の面積よりも広い面積を有するように決定された第１トリガ外部電極２６および第２トリガ外部電極２７に電力を印加することができる。これにより、少光量で発光する場合には、放電路が安定するので、発光毎の光量ばらつきを小さく出来る。大光量で発光する場合には、放電が閃光放電管２の一部に集中しない、もしくは放電位置がランダムに変化するので閃光放電管２の寿命を長くできる。
【００４０】
本発明に係るストロボ装置における他の実施形態について、図１〜図５を参酌して説明する。
【００４１】
図５は、本発明の他の実施形態に係るストロボ装置における回路図である。なお、ストロボ装置３６は、図３に示す閃光放電管２およびトリガ外部電極２６、２７を使用する例を示す。
【００４２】
ストロボ装置３６は、図４のストロボ装置３４におけるトリガ回路８および切替部３５に代えて、第１トリガ回路３７と第２トリガ回路３８とを備える。第１トリガ回路３７および第２トリガ回路３８のそれぞれは、第１トリガ外部電極２６および第２トリガ外部電極２７のそれぞれに接続される。制御部７は、第１トリガ回路３７および第２トリガ回路３８に接続されている。その他の構成はストロボ装置３５と同一であるので、説明を省略する。
【００４３】
本実施形態に係るストロボ装置３６の構成については以上の通りであり、次に、本実施形態に係るストロボ装置３６の動作について図５を参酌して説明する。
【００４４】
制御部７は、電池電源５の電力を昇圧チョッパ回路６で昇圧させて蓄電させる蓄電状態と、蓄電素子４が蓄電した電力を閃光放電管２に供給させる発光状態とを制御する機能を有している。また制御部７は、所定のタイミングで閃光放電管２を発光させるべく、第１トリガ回路３７に接続されたトリガ外部電極２６に電圧を印加することを選択する第一のモードと第１トリガ回路および第２トリガ回路３８に接続された第１トリガ外部電極２６およびトリガ外部電極２７に電圧を印加することを選択する第二のモードとを切替える機能を有している。制御部７はさらに、閃光放電管２の発光を開始及び停止するタイミングを制御する機能を有している。
【００４５】
携帯機器１０の電源がＯＮされると、制御部７は電池電源５の電圧を昇圧チョッパ回路６で昇圧して蓄電素子４に蓄電させ、いつでも発光可能な状態になる。
【００４６】
次に携帯機器１０にストロボ発光の信号が入力されると、制御部７は、撮影環境に応じて、閃光放電管２の発光すべき光量を決定する。制御部７は、決定した発光量に応じて、第一のモードで発光すべきか、第二のモードで発光すべきかをさらに決定する。
【００４７】
より詳しくは、制御部７が閃光放電管２の発光すべき光量を少光量と決定した場合、制御部７は、第１トリガ外部電極２６へ電圧を印加することを選択する第一のモードとし、制御部７が閃光放電管２の発光すべき光量を大光量と決定した場合、制御部７は、第１トリガ外部電極２６および第２トリガ外部電極２７へ電圧を印加することを選択する第二のモードとする。
また制御部７は、決定した発光量に応じて、閃光放電管２の発光を停止するタイミングを決定するとともに第１トリガ回路３７、第２トリガ回路３８にトリガ信号を、スイッチ回路９に発光開始信号を出力させる。
【００４８】
第１トリガ回路３７または第２トリガ回路３８は、制御部７からの信号に基づいて、第１トリガ回路３７および第２トリガ回路３８がそれぞれ有するトランス回路で、トリガ用コンデンサ（図示せず）から供給される電荷を用いて昇圧する。第１トリガ回路３７または第２トリガ回路３８は、所定のタイミングで閃光放電管２を発光させるべくトリガ信号を出力して、昇圧された電圧を第１トリガ外部電極２６または第２トリガ外部電極２７に印加閃光放電管２は発光する。スイッチ回路９は、制御部７からの発光停止信号により閃光放電管２の発光を停止する。
【００４９】
以上により、本実施形態に係るストロボ装置３６によれば、閃光放電管２が少光量で発光する場合には、第１トリガ外部電極２６のみに電力を印加できる。閃光放電管２が大光量で発光する場合には、第１トリガ外部電極２６および第２トリガ外部電極２７に電力を印加することができる。これにより、閃光放電管２が少光量で発光する場合には、放電路が安定するので、発光毎の光量ばらつきを小さく出来る。閃光放電管２が大光量で発光する場合には、放電が閃光放電管２の一部に集中しない、もしくは放電位置がランダムに変化するのでガラスバルブ２１へのダメージが分散し、閃光放電管２の寿命を長くできる。
【００５０】
なお、本発明に係るストロボ装置は、上記した実施の形態に限定されるものではなく、本発明の要旨を逸脱しない範囲内において種々変更を加え得ることは勿論である。上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５１】
例えば、上記実施形態に係るストロボ装置３４、３６においては、切替部３５または制御部７は、第二のモードにおいて、第１トリガ外部電極２６および第２トリガ外部電極２７に電圧を印加することを選択している。第２トリガ外部電極２７の閃光放電管２への設置面積が第１トリガ外部電極２６の設置面積よりも広い場合、第二のモードにおいて、切替部３５または制御部７は、第２トリガ外部電極２７のみに電圧を印加することを選択しても良い。
【００５２】
切替部３５または制御部７は、閃光放電管２に少光量発光させる第一のモードにおいて、所定の数のトリガ外部電極に電圧を印加することを選択し、閃光放電管２に大光量発光させる第二のモードにおいて、選択された所定の数のトリガ外部電極の閃光放電管２への設置面積よりも広くなるようにトリガ外部電極を決定して、電圧を印加することを選択しても良い。例えば、図２の閃光放電管２を利用する場合、切替部３５または制御部７は、第一のモードにおいて、第１トリガ外部電極２６、・・・３３のうち、一部に電圧を印加することを選択し、第二のモードにおいて、第一のモードで選択するトリガ外部電極の閃光放電管２への設置面積よりも、閃光放電管２への設置面積が大きくなるように第１トリガ外部電極２６、・・・３３を選択してもよい。
【００５３】
また、ストロボ装置３６において、第２トリガ回路３８は、さらに第１トリガ外部電極２６と接続されていても良い。制御部７が第二のモードで閃光放電管２を発光することを決定した場合、第２トリガ回路３８のみが第１トリガ外部電極２６および第２トリガ外部電極２７に電圧を印加してもよい。第１トリガ外部電極２６よりも第２トリガ外部電極２７の閃光放電管２への設置面積が大きい場合であって、制御部７が第二のモードで閃光放電管２を発光することを決定した場合、第２トリガ回路３８は、第２トリガ外部電極２７のみに電圧を印加しても良い。
【００５４】
また、携帯機器１０は、デジタルスチールカメラであってもよい。
【産業上の利用可能性】
【００５５】
本発明に係るストロボ装置および携帯機器は、少光量発光の場合には発光毎のばらつきを少なくし、大光量発光の場合には閃光放電管へのダメージを抑止することが必要な技術分野等の用途に適用できる。
【符号の説明】
【００５６】
１０  携帯機器
２６  第１トリガ外部電極
２７  第２トリガ外部電極
２８  第３トリガ外部電極
２９  第４トリガ外部電極
３０  第５トリガ外部電極
３１  第６トリガ外部電極
３２  第７トリガ外部電極
３３  第８トリガ外部電極
３４  ストロボ装置
３５  切替部
３６  ストロボ装置
３７  第１トリガ回路
３８  第２トリガ回路
【図１】
2012058494.tif 000003
【図２】
2012058494.tif 000004
【図３】
2012058494.tif 000005
【図４】
2012058494.tif 000006
【図５】
2012058494.tif 000007
【図６】
2012058494.tif 000008